(57)【要約】【課題】容器本体の構造が簡易であるとともに、容器本体からのキャップの着脱が容易で、浄水器により浄化された水や、炭酸ガスを含んだ水の保存や冷却に適した容器を提供する。【解決手段】その上端側に注ぎ口２を有する容器本体３と、容器本体３の注ぎ口２を覆うように、容器本体３に着脱自在に固定されるキャップ４とを備えた容器であって、容器本体３が、その注ぎ口２近傍に突起部５を有するとともに、キャップ４が、その内周部に溝部６を有し、キャップ４を、容器本体３の注ぎ口２を覆うように配置し、所定角度だけ軸回転させることによって、容器本体３の注ぎ口２近傍の突起部５と、キャップ４の内周部の溝部６が係合し、容器本体３とキャップ４とを着脱自在に固定させることができ、さらに、容器本体３及びキャップ４が、軸方向に対向する位置に、少なくとも一対の凹凸クリック部７を有し、キャップ４を所定の軸回転位置で容器本体３に固定させることができることを特徴とする容器。【選択図】　図１
2004099093.tif 000002
【特許請求の範囲】
【請求項１】
その上端側に注ぎ口を有する容器本体と、前記容器本体の前記注ぎ口を覆うように、前記容器本体に着脱自在に固定されるキャップとを備えた容器であって、
前記容器本体が、その前記注ぎ口近傍に突起部を有するとともに、前記キャップが、その内周部に溝部を有し、前記キャップを、前記容器本体の前記注ぎ口を覆うように配置し、所定角度だけ軸回転させることにより、前記容器本体の前記注ぎ口近傍の前記突起部と、前記キャップの前記内周部の前記溝部が係合し、前記容器本体と前記キャップとを着脱自在に固定させることができ、さらに、
前記容器本体及び前記キャップの軸方向に対向する位置に、少なくとも一対の凹凸クリック部を有し、前記キャップを所定の軸回転位置で前記容器本体に固定させることができることを特徴とする容器。
【請求項２】
前記キャップが、外蓋及び内蓋から構成されるとともに、前記内蓋に弾性のある片持ち梁部を設け、前記片持ち梁部に前記凹凸クリック部の凹凸部のいずれかを設置した請求項１に記載の容器。
【請求項３】
前記外蓋と前記内蓋との間に空間部を有し、前記内蓋が、前記空間部に連通する貫通孔を有する請求項２に記載の容器。
【請求項４】
前記容器本体がチタンからなる請求項１〜３のいずれか一項に記載の容器。
【請求項５】
前記キャップの前記溝部の両端部が、テーパ状に形成されてなる請求項１〜４のいずれか一項に記載の容器。
【請求項６】
前記注ぎ口と螺合が可能な中栓をさらに備えた請求項１〜５のいずれか一項に記載の容器。
【発明の詳細な説明】
【０００１】
【発明の属する技術分野】本発明は、液体の保存及び／又は輸送に際して使用される容器に関する。さらに詳しくは、容器本体の構造が簡易であるとともに、容器本体からのキャップの着脱が容易で、浄水器により浄化された水や、炭酸ガスを含んだ水の保存や冷却に適した容器に関する。
【０００２】
【従来の技術】近年、ミネラルウォーター、清涼飲料、及び酒類等の液体の保存及び／又は輸送に際して使用される容器として、その先端側に注ぎ口を有する容器本体と、その容器本体の注ぎ口を覆うように着脱自在に固定されたキャップとを備えた容器が用いられている。特に、容器本体の材質として金属を用いた容器は、例えば、浄水器で浄化された水を入れて冷蔵庫で冷やすと、金属の高熱伝導特性により短期に浄水を冷却することができ、また炭酸ガスを含んだ水を入れた場合は、溶解している炭酸ガスの圧力に対し、金属の高強度特性より容器の破裂などの恐れがなく安心して使用でき、さらに耐久性が高いことから飲食店の業務用の水容器や携帯用の水筒等として好適に用いられている。
【０００３】このように構成された容器を、保管や輸送する場合に、そのキャップが振動や衝撃等で緩み、容器本体に収容した液体が外部に漏れ出すことを防止するために、様々な形状の容器が提案されている。
【０００４】具体的には、このような容器として、容器本体側に突起を、キャップ側に、この突起の平坦面に当接するストッパ面を有する係止突起及び突起の湾曲面に弾性的に接触してキャップの緩み止め機能を発揮する弾性突起を形成した構成の容器が提案されている（例えば、特許文献１参照）。
【０００５】このような容器は、容器本体にキャップがねじ込まれると、突起の先端湾曲面にまず弾性突起が接触するが、キャップをさらに回動させると、この突起は弾性突起自体を若干弾性変形させながら外方（キャップの半径方向外方）へ傾斜させてこれを乗り越えて嵌合空間内に位置し、ここでストッパ面と弾性突起とで挟まれた状態で位置決めされるものである。
【０００６】
【特許文献１】
実公昭６３−４８５３９号公報
【０００７】
【発明が解決しようとする課題】しかしながら、このように構成された容器は、容器本体の形状が複雑なことから、容器本体の材料として、中に入れた液体の味が変わらない特性や、容器そのものが軽量になり、さらに独特の色調で容器の高級感がある点で、注目されているチタンや、このチタンを含む合金を用いた場合、これら金属が難加工材料であるので、上述した突起のような複雑形状を有する容器本体を成形して形成することが困難であるという問題があった。
【０００８】本発明は、上述の問題に鑑みてなされたものであり、容器本体の構造が簡易であるとともに、容器本体からのキャップの着脱が容易な容器を提供することを目的とする。
【０００９】
【課題を解決するための手段】上述の目的を達成するため、本発明は、その上端側に注ぎ口を有する容器本体と、前記容器本体の前記注ぎ口を覆うように、前記容器本体に着脱自在に固定されるキャップとを備えた容器であって、前記容器本体が、その前記注ぎ口近傍に突起部を有するとともに、前記キャップが、その内周部に溝部を有し、前記キャップを、前記容器本体の前記注ぎ口を覆うように配置し、所定角度だけ軸回転させることにより、前記容器本体の前記注ぎ口近傍の前記突起部と、前記キャップの前記内周部の前記溝部が係合し、前記容器本体と前記キャップとを着脱自在に固定させることができ、さらに、前記容器本体及び前記キャップの軸方向に対向する位置に、少なくとも一対の凹凸クリック部を有し、前記キャップを所定の軸回転位置で前記容器本体に固定させることができることを特徴とする。
【００１０】本発明の容器においては、前記キャップが、外蓋及び内蓋から構成されるとともに、前記内蓋に弾性のある片持ち梁部を設け、前記片持ち梁部に前記凹凸クリック部の凹凸部のいずれかを設置することが好ましい。また、前記外蓋と前記内蓋との間に空間部を有し、前記内蓋が、前記空間部に連通する貫通孔を有することが好ましい。
【００１１】また、本発明においては、前記容器本体がチタンからなることが好ましい。
【００１２】また、本発明においては、前記キャップの前記溝部の両端部が、テーパ状に形成されてなることが好ましい。
【００１３】さらに、本発明においては、前記注ぎ口と螺合が可能な中栓をさらに備えたものであることが好ましい。
【００１４】
【発明の実施の形態】以下、図面を参照して、本発明の容器の実施の形態について詳細に説明するが、本発明は、これに限定されて解釈されるものではなく、本発明の範囲を逸脱しない限りにおいて、当業者の知識に基づいて、種々の変更、修正、改良を加え得るものである。
【００１５】まず、本発明の容器の一の実施の形態について、図１〜３を用いて説明する。図１は本実施の形態の容器の斜視図であり、図２は本実施の形態の容器を構成する容器本体の平面図であり、図３は本実施の形態の容器を構成するキャップの底面図である。本実施の形態の容器１は、その上端側に注ぎ口２を有する容器本体３と、容器本体３の注ぎ口２を覆うように、容器本体３に着脱自在に固定されるキャップ４とを備えた容器であって、容器本体３が、その注ぎ口２近傍に突起部５を有するとともに、キャップ４が、その内周部に溝部６を有し、キャップ４を、容器本体３の注ぎ口２を覆うように配置し、所定角度だけ軸回転させることによって、容器本体３の注ぎ口２近傍の突起部５と、キャップ４の内周部の溝部６が係合し、容器本体３とキャップ４とを着脱自在に固定させることができ、さらに、容器本体３及びキャップ４が、軸方向に対向する位置に、少なくとも一対の凹凸クリック部７を有し、キャップ４を所定の軸回転位置で容器本体３に固定させることができることを特徴とする。本実施の形態においては、上述した凹凸クリック部７として、容器本体３が凸部１６、キャップ４が凹部１７を有している。
【００１６】このように構成することによって、容器本体３の構造が簡易であるとともに、容器本体３からのキャップ４の着脱が容易となる。
【００１７】図２及び３に示すように、容器本体３及びキャップ４は、それぞれが突起部５と溝部６とを二個有している。本実施の形態においては、容器本体３とキャップ４とを、最終的な固定状態から対向配置された各面８が回転軸と交差する点を中心とした中心角として４５〜１３５°ずれた状態で、嵌合させた場合に、突起部５と溝部６とが接触することがないように配設されている。
【００１８】また、突起部５と溝部６との長さは、容器本体３とキャップ４との対向配置された各面８が回転軸と交差する点を中心とした中心角として２０〜４５°の範囲にわたって形成される長さであることが好ましい。本実施の形態においては、上述した中心に対して点対称に、このような長さの突起部５及び溝部６が二個配設されている。
【００１９】このように構成することによって、キャップ４を、容器本体３を覆うように配置し、所定角度だけ軸回転させることによって容器本体３とキャップ４とを着脱自在に容易に固定させることができる。
【００２０】また、上述したように、キャップ４を、容器本体３を覆うように配置し、所定角度だけ軸回転させた際に、容器本体３の凸部１６と、キャップ４の凹部１７とが、嵌合することにより所定の軸回転位置で容器本体３に固定される。このように構成することによって、本実施の形態の容器を、例えば、携帯用の水筒等に用いた場合に、振動や衝撃等によってキャップ４が緩み、容器本体３内に収容した液体が漏れ出すことを防止することができる。
【００２１】本実施の形態に用いられる容器本体３の材料としては、特に限定されることはないが、耐久性に優れることから、チタン、銅を含んだオーステナイト系の抗菌ステンレス鋼、アルミニウムからなる群から選ばれる少なくとも一種の金属を用いることが好ましく、特に、容器本体３内部に入れた液体への金属イオンの溶出が少なく液体の風味を変えない点や、容器そのものが軽量となり、さらに独特の色調で容器に高級感が得られるチタンを用いることが好ましい。中でもＦｅ分を０．０３重量％以下としたチタンが、液体の風味の低下が少なく好ましい。また、容器本体３の断熱効果が向上するように、二重構造や、容器本体３の外周面に断熱層を設けた構成としてもよい。
【００２２】また、本実施の形態に用いられるキャップ４が、図４及び５に示すように、外蓋１０及び内蓋１１から構成され、両者が接着層１８により結合され一体のキャップ３とすることが好ましい。図４は、本実施の形態の容器の一部拡大断面図であり、図５は、図４の切断面に直角な方向の一部拡大断面図である。
【００２３】本実施の形態においては、キャップ４を構成する内蓋１１に、前述したキャップ４の凹部１７に弾性を持たすことができるように、弾性のある片持ち梁部を設け、片持ち梁部に凹部１７を設置することが好ましい。上述したようにキャップ４を、容器本体３を覆うように配置し、所定角度だけ軸回転させた際に、片持ち梁部に設置された凹部１７は、容器本体３の凸部１６と接触すると、その形状を若干弾性変形させながら、内蓋１１と外蓋１０との間に構成された空間部１２側に傾斜させて凸部１６の頂点を乗り越えた後、この凸部１６と嵌合した状態でもとの形状へと復元する。これによりキャップ４を所定の軸回転位置で容器本体３に固定させることができる。また容器本体３の凸部１６が設置されている部分の厚みを薄くすると、容器本体３側でも弾性が期待でき凹凸クリック部７のクリック感がさらに向上する。容器本体３の厚みは、例えば、８００ｃｃの容器１（図１参照）とした場合は、０．５ｍｍ程度とすることが後述する容器本体３の溶接による成形性や、コスト、凹凸クリック部７のクリック感を向上する点で好ましい。凸部１６は容器本体３側に、また凹部１７は内蓋１１側に設置した例を示しているが、逆でもよく、また凹部１７は図３に示す円形状以外に溝型でも良い。
【００２４】また、内蓋１１の材質として、例えば、ＡＢＳ樹脂、ＰＰ樹脂等の、一定の強度と弾性とを有する樹脂を用いることが好ましく、このように構成することによって、前述したキャップ４の凹部１７に、さらに弾性を持たすことができ、凸部１６と凹部１７との擦れによる消耗を有効に防止することができる。
【００２５】また、外蓋１０の材料としては、特に限定されることはないが、容器本体３に用いた材料と同一ものを好適に用いることができる。
【００２６】また、本実施の形態においては、図５に示すように、外蓋１０と内蓋１１との間に空間部１２を有し、内蓋１１が、空間部１２に連通する貫通孔１４を有することが好ましい。この貫通孔１４を有することにより、温度変化、特に、温度上昇の際の、空間部１２内の気体の膨脹による破損等を防止することができる。また、後述する実施例に示すように、外蓋１０と内蓋１１を接着剤により結合する場合は、貫通孔１４により空間部１２の空気を外部に排出し、接着面に塗布する接着剤が外部にはみでたり、部分的に接着層１８がなくなることを防止できる。外蓋１０と内蓋１１の間の接着層が確実に連続したものであれば、キャップ４を洗浄した場合等に空間部１２へ水が入ることを防止するために、外蓋１０と内蓋１１の接着後に、貫通孔１４を接着剤などで封止しても良い。
【００２７】また、本実施の形態においては、図５に示すように、容器本体３とキャップ４の嵌合時には、突起部５と溝部６とが接触し、さらに容器本体３とキャップ４の固定時には、図４に示すように、容器本体３とキャップ４の軸方向に対向する位置に設置した凹凸クリック部７が接触しており、これら以外のそれぞれの対向する面は接触していない。
【００２８】また、本実施の形態においては、図６に示すように、キャップ４の溝部６の両端部がテーパ状１９に形成されてなることが好ましい。これにより、容器本体３（図１参照）の突起部５（図１参照）と、キャップ４の溝部６との嵌合が容易になる。また、容器本体３（図１参照）の突起部５（図１参照）の両端部をテーパ状に形成してもよい。
【００２９】また、本実施の形態においては、図４及び５に示すように、容器１が、注ぎ口２と螺合が可能な中栓１５をさらに備えた構成としてもよい。この際、中栓１５の注ぎ口２と直接接触する部分に、ポリエチレン等からなるパッキン２５をさらに備えた構成としてもよい。このように構成することにより、容器本体３の気密性と、注ぎ口２の衛生面とを、さらに向上することができる。
【００３０】また、本実施の形態の容器１においては、持ち運びを容易にするために、把持部や首等に掛ける紐を容器本体３の外周部に配設した構成としてもよい。
【００３１】
【実施例】以下、本発明を実施例により具体的に説明するが、本発明はこれらの実施例に限定されるものではない。
【００３２】図７に示すような形状の容器１を形成した。容器本体３は、板状のチタン材を材料とし、一体にプレス成形した底部、二分割にプレス成形した胴部、一体にプレス成形した上部、及びパイプ素材より加工した注ぎ口を、アルゴン溶接で組立た後、内部酸化皮膜を酸により洗い、さらに外部をサンドブラストにより梨地様に調製した後、保護のためのクリアー樹脂塗装を行い、形成した。
【００３３】また、キャップ４は、チタンを材料とした外蓋１０（図５参照）、及びＡＢＳ樹脂を材料とした内蓋１１（図５参照）から構成されるとともに、この外蓋１０（図５参照）及び内蓋１１（図５参照）が、これらの間に空間部１２（図５参照）を有するように形成した。外蓋１０（図５参照）は板状のチタン材をプレス成形により、所定の形状にし、容器本体３と同様に、酸により洗ったのち、外部にサンドプラストと保護のクリアー塗装を行った。
【００３４】図８（ａ）〜（ｃ）は、本実施例におけるキャップの内蓋の構成を示す断面図及び平面図である。図８（ａ）〜（ｃ）に示すように、カバー２０は内蓋１１の凹部１７を形成するときに、金型構造に起因する開孔部に、接着剤が流入しないようにするためのものであり、外蓋１０（図５参照）との接着前に内蓋１１に嵌合あるいは接着により固定してある。壁２１は外蓋１０（図５参照）との接着をする部分であり、使用する接着剤の強度により面積が決定されている。また外蓋１０（図５参照）と内蓋１１の位置は、内蓋１１に設置された縁部２３により決定される。さらに背板２４は、外蓋１０（図５参照）を内部からささえる部分であり、外蓋１０（図５参照）に作用した外力により、外蓋１０（図５参照）が著しく変形することを防止している。また、キャップ４（図５参照）には貫通孔１４を一個配設した。
【００３５】また、チタン製の外蓋１０（図５参照）と樹脂製の内蓋１１は、熱膨張率の異なる材料を結合するために、粘着性と、弾性を確保するために、シリコーン変性ポリマー系接着剤（セメダイン（株）製　商品名：スーパーＸ）を使用した。
【００３６】本実施例においては、図７に示すように、容器本体３は、容器本体３とキャップ４との対向配置された各面８（図１参照）が回転軸と交差する点を中心とした中心角として３０°範囲にわたって配設された突起部５を二個、また、キャップ４は、キャップ４の内蓋に、突起部５に対応する溝部６を二個有する構成とし、さらに、容器本体３の凸部１６、キャップ４の凹部１７から構成された凹凸クリック部７を二個有する構成とした。
【００３７】また、容器本体３の注ぎ口２と螺合が可能な中栓１５を、ポリプロピレンを用いて形成し、中栓１５には、注ぎ口２と直接接触する部分にポリエチレンからなるパッキン２５（図５参照）を配設した。
【００３８】
【発明の効果】以上説明したように、本発明によって、容器本体の構造が簡易であるとともに、容器本体からのキャップの着脱が容易な容器を提供することができる。
【図面の簡単な説明】
【図１】本発明の一の実施の形態の容器を示す斜視図である。
【図２】本発明の一の実施の形態の容器を構成する容器本体の平面図である。
【図３】本発明の一の実施の形態の容器を構成するキャップの底面図である。
【図４】本発明の一の実施の形態の容器の一部拡大断面図である。
【図５】本発明の一の実施の形態の容器の一部拡大断面図である。
【図６】本発明の一の実施の形態の容器を構成するキャップの内蓋の構成を示す断面図である。
【図７】本発明の実施例の容器を示す斜視図である。
【図８】本発明の実施例の容器を構成するキャップの内蓋の構成を示す説明図であって、（ａ）及び（ｂ）は断面図、（ｃ）は平面図を示す。
【符号の説明】
１…容器、２…注ぎ口、３…容器本体、４…キャップ、５…突起部、６…溝部、７…凹凸クリック部、８…対向配置された面、１０…外蓋、１１…内蓋、１２…空間部、１４…貫通孔、１５…中栓、１６…凸部、１７…凹部、１８…接着層、１９…テーパ状、２０…カバー、２１…壁、２３…縁部、２４…背板、２５…パッキン。
【図１】
2004099093.tif 000003
【図２】
2004099093.tif 000004
【図３】
2004099093.tif 000005
【図４】
2004099093.tif 000006
【図５】
2004099093.tif 000007
【図６】
2004099093.tif 000008
【図７】
2004099093.tif 000009
【図８】
2004099093.tif 000010